(57)【要約】      （修正有）【課題】靴のフィット感等を調整しやすく，かつ，靴の外観のアレンジもしやすい靴ひもおよび靴ひも留め具を提供する。【解決手段】靴ひもを備えた靴ひも留め具であって、前記靴ひも留め具は、靴ひも穴の直径よりも大きい直径であって靴ひも通し穴を有する第一部材と、該第一部材に嵌合するための第二部材とからなり、前記第一部材ないし第二部材のいずれかの一方の部材に凸部、他方の部材に前記凸部に嵌合するための凹部を有し、前記凸部ないし凹部いずれか一方に隣接する靴ひも端部を納めるための空間部を有することを特徴とする靴ひも留め具。【選択図】図７
0003169657.tif 000002
【実用新案登録請求の範囲】
【請求項１】
靴ひもを備えた靴ひも留め具であって，
前記靴ひも留め具は，
靴ひも穴の直径よりも大きい直径であって靴ひも通し穴を有する第一部材と，
前記第一部材に嵌合するための第二部材とからなり，
前記第一部材ないし第二部材のいずれかの一方の部材に凸部，他方の部材に前記凸部に嵌合するための凹部を有し，
前記凸部ないし凹部いずれか一方に隣接する靴ひも端部を納めるための空間部を有することを特徴とする靴ひも留め具。
【請求項２】
前記靴ひもが伸縮性部材からなる請求項１に記載の靴ひも留め具。
【請求項３】
前記靴ひも端部に固定することができ，かつ，前記靴ひも通し穴部の直径より大きな直径を有する靴ひも端部固定部材をさらに有する請求項１又は２に記載の靴ひも留め具。
【考案の詳細な説明】
【技術分野】
【０００１】
本考案は，伸縮性の靴ひもを備えた靴ひも留め具に関する。
【背景技術】
【０００２】
靴ひもは，靴に左右対称に設けられた複数個の靴ひも穴に通して取り付けられる。この靴ひもを取り付ける際は，靴ひも穴の下から上，左右交互に１本の靴ひもを通し締めていき，一番上の紐ひも穴から引き出された靴ひもの両端を結んで固定するのが通常である（特許文献１，特許文献２，特許文献３，特許文献４）。この取り付けられた１本の靴ひもの締め具合を調節することで，足の靴に対するフィット感を調整するようになっている。
【０００３】
しかしながら，従来の１本の靴ひもによる固定方法では，非常にわずらわしい場合がある。例えば，一度靴ひもを締めあげた後でフィット感の調整を行いたい場合は，緩めたいもしくは締め付けたい部分の靴ひも穴まで順次，靴ひもを緩めたり締めつけたりしなければならない。その他，靴を履きなおしたりする場合も同様である。
【０００４】
また，従来の一本の靴ひもは，基本的には，単一の色彩ないし模様であることが通常である。加えて，靴ひもの通し方にも限りがある。これらの事情から，靴ひもを含めた靴の外観のアレンジには限界があった。
【先行技術文献】
【特許文献】
【０００５】
【特許文献１】特開２００６−３１４５３０号
【特許文献２】特開２００８−０１１９６８号
【特許文献３】特開２００９−０５０４５４号
【特許文献４】特開２０１１−０９２６６５号
【考案の開示】
【考案が解決しようとする課題】
【０００６】
上記事情を背景として，本考案では，靴のフィット感等を調整しやすく，かつ，靴の外観のアレンジもしやすい靴ひもおよび靴ひも留め具の開発を課題とする。
【課題を解決するための手段】
【０００７】
考案者は，鋭意研究の結果，新規な靴ひも留め具を考案した。すなわち，本考案にかかる靴ひも留め具は，下記の構成からなる。
【０００８】
本考案にかかる第一の構成は，靴ひもを備えた靴ひも留め具であって，前記靴ひも留め具は，靴ひも穴の直径よりも大きい直径であって靴ひも通し穴を有する第一部材と，前記第一部材に嵌合するための第二部材とからなり，前記第一部材ないし第二部材のいずれかの一方の部材に凸部，他方の部材に前記凸部に嵌合するための凹部を有し，前記凸部ないし凹部いずれか一方に隣接する靴ひも端部を納めるための空間部を有することを特徴とする靴ひも留め具である。
本考案にかかる第二の構成は，前記靴ひもが伸縮性部材からなる第一の構成に記載の靴ひも留め具である。
本考案にかかる第三の構成は，前記靴ひも端部に固定することができ，かつ，前記靴ひも通し穴部の直径より大きな直径を有する靴ひも端部固定部材をさらに有する第一又は第二の構成に記載の靴ひも留め具である。
【考案の効果】
【０００９】
本考案にかかる靴ひも留め具により，靴のフィット感等を調整しやすく，かつ，靴の外観のアレンジもしやすい靴ひもおよび靴ひも留め具の提供が可能となった。
【図面の簡単な説明】
【００１０】
【図１】本考案にかかる球状靴ひも留め具を示した図
【図２】本考案にかかる楕円球状靴ひも留め具を示した図
【図３】本考案にかかる直方体状靴ひも留め具を示した図
【図４】本考案にかかる球状靴ひも留め具の別態様を示した図
【図５】本考案にかかる球状靴ひも留め具の別態様を示した図
【図６】本考案にかかる球状靴ひも留め具の別態様を示した図
【図７】本考案にかかる球状靴ひも留め具の使用例を示した図
【図８】本考案にかかる直方体状靴ひも留め具の使用例を示した図
【図９】本考案にかかる球状靴ひも留め具の使用例を示した図
【図１０】本考案にかかる左右非対称の形状を有する靴ひも留め具の使用例を示した図
【考案を実施するための形態】
【００１１】
以下，本考案にかかる靴ひも留め具について，例をあげて説明するが，当然のことながら，本考案は下記の内容に限定されるものではない。
【００１２】
本考案にかかる靴ひも留め具の例を図１に示す。本考案にかかる靴ひも留め具は，第一部材１０ａないし１０ｂ，第二部材２０ａないし２０ｂ，靴ひも３０の構成からなる。
以下，第一部材１０ａないし１０ｂ，および第二部材２０ａないし２０ｂについて，基本的には，靴ひも３０の両端部３０１ａないし３０１ｂ付近に左右対称に配置されるとともに，それらの機能も共通するため，特に言及しない限り，左側（符号，ａ側）の部材についてのみ説明を行う。
【００１３】
第一部材１０ａは，靴ひも穴（不図示）の直径よりも大きな直径を有し，靴ひも端部３０１ａ近辺に配置され，靴ひもを固定するための留め具としての役割を有する。この靴ひもを固定するための留め具としての機能を有する限り，第一部材について特に限定する必要はない。形状については，半球状（図１，１０ａ）や半楕円状（図２，１１ａ），立方体や直方体などの多角形状（例えば図３，１２ａ）など，種々の形状をとることができる。また，後述する第二部材と一体化することにより，第一部材と第二部材を合わせて，球や楕円球，直方体などの典型的な立体形状や，星状やキャラクターマスコット，手や動物，飛行機等の特徴的な立体形状など，靴の外観を考慮した様々な形状を採用することができる。かかる形状については，右側と左側，同一の形状としてもよいし，異なる形状としてもよい。
【００１４】
加えて，第一部材１０ａは，靴ひも通し穴１０１ａを必須の構成とする。靴ひも通し穴１０１ａは，靴ひもを通すための穴として機能する。この機能を有する限り，靴ひも通し穴について特に限定する必要はなく，靴ひもの通り易さおよび靴ひも端部を結んだ際のたまの大きさ等を考慮して，靴ひも通し穴形状や大きさを調整すればよい。例えば，靴ひも端部を結んだ際にできるたまの直径よりも小さい直径を有する円筒状や楕円筒の形状，多角形状など種々の形状とすることができる。
【００１５】
さらに，第一部材１０ａは，凸部１０２ａを構成要素とすることができる。この場合，後述する第二部材２０ａに，嵌合する凹部２０１ａを有することとなる。
凸部１０２ａは，かかる第二部材２０ａの凹部２０１ａに嵌合する機能を有し，第一部材１０ａと第二部材２０ａを一体化するための役割を果たす。嵌合する手段としては，通常用いられるあらゆる手段を用いることができる。例えば，図１に示すように，凸部１０２ａと凹部２０１ａをスクリュー形状としたネジ式の固定方法を採用することができる。また，図４に示すように，凸部１３２ａに突起部１３２１ａ，凹部２３１ａに突起部１３２１ａに対応する大きさの突起嵌合部２３１１ａを設け，これらを嵌めこむ嵌めこみ式などを採用することができる。なお，図４の例については，詳細は後述するが，靴ひも端部を収納するための空間部が凹部と一体となって，凹部２３１ａが設けられている例である。
【００１６】
また第一部材の別の態様として，図５に示すように，凹部１４２ａおよび空間部１４３ａを構成要素とすることができる。この場合，第二部材２４ａに，凹部１４２ａに対応した凸部２４１ａを有することとなる。
【００１７】
第二部材２０ａは，第一部材１０ａと嵌合により一体化し，靴ひも端部の結び目を覆うための役割を有する。この役割を果たす限り，第二部材を限定する必要は特にないが，第一部材と一体化した際に外観が損なわれないような形状とすることが好ましい。そのため，第一部材と対応するような形状や部材，色を選択することが好ましい。また，第二部材は，第一部材の形状に応じ，凹部と空間部（図１ないし図４），凸部（図５）を構成要素とすることができる。
【００１８】
靴ひも３０は，一定の太さと長さを有するあらゆる靴ひもを用いることができる。より好ましくは，伸縮性を有する靴ひもを用いることができる。これにより，靴のフィット感の調整がより容易になるという効果を有する。
また，靴ひも３０は，図６に示すように，靴ひも端部固定部材４０ａを備えることができる。この靴ひも端部固定部材を用いて靴ひもの締め具合を調整することにより，靴ひも端部を結ぶより容易に，フィット感の調整をすることが可能となる。靴ひも端部固定部材については，図６に示すように球状のものに限定する必要はなく，靴ひも通し穴より大きく，かつ，クリップ式等靴ひもを容易に固定しうる適当な固定手段を有していればよい。
【００１９】
図７から図９に，本考案にかかる靴ひも留め具の使用例を示す。図７ないし図８に示すように，靴ひも穴に並行に通して使用したり，図９に示すようにクロス状に使用することもできる。
【００２０】
以上，本発明にかかる靴ひも留め具を説明してきた。本発明にかかる靴ひも留め具により，靴のフィット感等を調整しやすく，かつ，靴の外観のアレンジもしやすい靴ひもおよび靴ひも留め具の提供が可能となった。
【符号の説明】
【００２１】
１０ａ，１０ｂ・・・第一部材
１０１ａ，１０１ｂ・・・靴ひも通し穴
１０２ａ，１０２ｂ・・・凸部
２０ａ，２０ｂ・・・第二部材
２０１ａ，２０１ｂ・・・凹部
２０２ａ，２０２ｂ・・・空間部
１１ａ，１１ｂ・・・第一部材
１１１ａ，１１１ｂ・・・靴ひも通し穴
１１２ａ，１１２ｂ・・・凸部
２１ａ，２１ｂ・・・第二部材
２１１ａ，２１１ｂ・・・凹部
２１２ａ，２１２ｂ・・・空間部
１２ａ，１２ｂ・・・第一部材
１２１ａ，１２１ｂ・・・靴ひも通し穴
１２２ａ，１２２ｂ・・・凸部
２２ａ，２２ｂ・・・第二部材
２２１ａ，２２１ｂ・・・凹部
２２２ａ，２２２ｂ・・・空間部
１３ａ，１３ｂ・・・第一部材
１３１ａ，１３１ｂ・・・靴ひも通し穴
１３２ａ，１３２ｂ・・・凸部
１３２１ａ，１３２１ｂ・・・突起部
２３ａ，２３ｂ・・・第二部材
２３１ａ，２３１ｂ・・・凹部
２３１１ａ，２３１１ｂ・・・突起嵌合部
１４ａ，１４ｂ・・・第一部材
１４１ａ，１４１ｂ・・・靴ひも通し穴
１４２ａ，１４２ｂ・・・凹部
１４３ａ，１４３ｂ・・・空間部
２４ａ，２４ｂ・・・第二部材
２４１ａ，２４１ｂ・・・凸部
３０・・・靴ひも
３０１ａ，３０１ｂ・・・靴ひも端部
４０・・・靴ひも端部固定部材
【図１】
0003169657.tif 000003
【図２】
0003169657.tif 000004
【図３】
0003169657.tif 000005
【図４】
0003169657.tif 000006
【図５】
0003169657.tif 000007
【図６】
0003169657.tif 000008
【図７】
0003169657.tif 000009
【図８】
0003169657.tif 000010
【図９】
0003169657.tif 000011
【図１０】
0003169657.tif 000012